(57)【要約】【課題】鋼桁を強固に補強することが可能な鋼桁補強構造を提供する。【解決手段】橋脚１と、橋脚１上に支持された鋼桁２の対向する端部とを鉄筋コンクリートにより一体化して、これらを剛結合する鋼桁補強構造において、鋼桁２の端部内に、鋼桁２の軸線と直交して水平に配された鋼桁端部補強用水平アンカー５と、鋼桁２の対向する端部間に配された鋼桁連結用水平アンカー７と、鋼桁２の端部と橋脚１との間に配された橋脚連結用垂直アンカー８と、鋼桁２の端部内に打設された鉄筋コンクリート９とからなる。【選択図】図１
2015113630.tif 000002
【特許請求の範囲】
【請求項１】
橋脚と、橋脚上に支持された鋼桁の対向する端部とを鉄筋コンクリートにより一体化して、これらを剛結合する鋼桁補強構造において、
前記鋼桁の端部内に、前記鋼桁の軸線と直交して水平に配された鋼桁端部補強用水平アンカーと、前記鋼桁の対向する端部間に配された鋼桁連結用水平アンカーと、前記鋼桁の端部と前記橋脚との間に配された橋脚連結用垂直アンカーと、前記鋼桁の端部内に打設された鉄筋コンクリートとからなることを特徴とする鋼桁補強構造。
【請求項２】
前記鋼桁は、一対のＩ形の桁部材を平行に連結したものからなり、前記鋼桁端部補強用水平アンカーは、前記一対の桁部材のウェブを貫通して配されていることを特徴とする、請求項１に記載の鋼桁補強構造。
【発明の詳細な説明】
【技術分野】
【０００１】
この発明は、鋼桁補強構造、特に、橋脚と、橋脚上に支持された鋼桁の対向する端部とを、鉄筋コンクリートにより一体化して、これらを剛結合することにより、鋼桁を強固に補強することが可能な鋼桁補強構造に関するものである。
【背景技術】
【０００２】
近年、使用開始から年月が経過して老朽化が進んでいる鋼鉄道橋における鋼桁の補強工事が急務になっている。
【０００３】
鋼桁補強構造の一例が特許文献１に開示されている。以下、この鋼桁補強構造を従来補強構造といい、図面を参照しながら説明する。
【０００４】
図４は、従来補強構造を示す断面図である。
【０００５】
図４において、１１は、橋脚、１２は、鋼桁である。鋼桁１２の対向する端部は、支承１３を介して橋脚１１上に支持されている。１４は、橋脚１１と、橋脚１１上に支持された鋼桁１２の対向する端部との周囲に施工された鉄筋コンクリートである。
【０００６】
鋼桁補強構造によれば、橋脚１１と、橋脚１１上に支持された鋼桁１２の対向する端部とを鉄筋コンクリート１４により一体化して、これらを剛結合することにより、老朽化した鋼桁１２を補強することができる。
【先行技術文献】
【特許文献】
【０００７】
【特許文献１】特開２００６−７０６１４号公報
【発明の概要】
【発明が解決しようとする課題】
【０００８】
上述したように、鋼桁補強構造によれば、橋脚１１と、橋脚１１上に支持された鋼桁１２の対向する端部とを鉄筋コンクリート１４により一体化して、これらを剛結合することにより、老朽化した鋼桁１２を補強することができるが、上記特許文献１には、鉄筋コンクリート１４によりどのようにして橋脚１１と、橋脚１１上に支持された鋼桁１２の対向する端部とを一体化して、これらを剛結合するのか、その具体的な補強構造の開示も示唆もない。
【０００９】
従って、この発明の目的は、橋脚と、橋脚上に支持された鋼桁の対向する端部とを鉄筋コンクリートにより一体化して、これらを剛結合する際の補強構造を具体化した鋼桁補強構造を提供することにある。
【課題を解決するための手段】
【００１０】
この発明は、上記目的を達成するためになされたものであり、下記を特徴とする。
【００１１】
請求項１に記載の発明は、橋脚と、橋脚上に支持された鋼桁の対向する端部とを鉄筋コンクリートにより一体化して、これらを剛結合する鋼桁補強構造において、前記鋼桁の端部内に、前記鋼桁の軸線と直交して水平に配された鋼桁端部補強用水平アンカーと、前記鋼桁の対向する端部間に配された鋼桁連結用水平アンカーと、前記鋼桁の端部と前記橋脚との間に配された橋脚連結用垂直アンカーと、前記鋼桁の端部内に打設された鉄筋コンクリートとからなることに特徴を有するものである。
【００１２】
請求項２に記載の発明は、請求項１に記載の発明において、前記鋼桁は、一対のＩ形の桁部材を平行に連結したものからなり、前記鋼桁端部補強用水平アンカーは、前記一対の桁部材のウェブを貫通して配されていることに特徴を有するものである。
【発明の効果】
【００１３】
この発明によれば、鋼桁端部補強用水平アンカーと、鋼桁連結用水平アンカーと、橋脚連結用垂直アンカーとを設け、鋼桁の端部内に鉄筋コンクリートを打設して、橋脚と、橋脚上に支持された鋼桁の対向する端部とを一体化することによって、これらが剛結合されるので、鋼桁を強固に補強することができる。
【図面の簡単な説明】
【００１４】
【図１】この発明の鋼桁補強構造を示す断面図である。
【図２】図１のＡ−Ａ線断面図である。
【図３】この発明の別の鋼桁補強構造を示す断面図である。
【図４】従来補強構造を示す断面図である。
【発明を実施するための形態】
【００１５】
この発明の鋼桁補強構造の一実施形態を、図面を参照しながら説明する。
【００１６】
図１は、この発明の鋼桁補強構造を示す断面図、図２は、図１のＡ−Ａ線断面図である。
【００１７】
図１および図２において、１は、橋脚、２は、鋼桁である。鋼桁２の端部は、橋脚１上に支承３を介して対向して支持されている。鋼桁２は、一対のＩ形の桁部材４を連結部材（図示せず）により平行に連結したものからなっている。桁部材４は、Ｈ形鋼、Ｉ形鋼、平鋼板をＩ形断面になるように溶接したもの、あるいは、平鋼板やくの字状の形鋼をＩ形断面になるように溶接したものなどからなっている。
【００１８】
５は、ループ状の鋼製の鋼桁端部補強用水平アンカーであり、一対の桁部材４の端部のウェブ６を貫通し、桁部材４の軸線と直交して水平に複数本、上下２段に配されている。
【００１９】
７は、鋼桁１の対向する端部間に上下２段に配された複数本の鋼製の鋼桁連結用水平アンカーである。８は、鋼桁２の端部と橋脚１との間に配された複数本の鋼製の橋脚連結用垂直アンカーである。
【００２０】
９は、鋼桁２の端部内に打設された鉄筋コンクリート（鉄筋は、図示せず）である。
【００２１】
このように、鋼桁端部補強用水平アンカー５と、鋼桁連結用水平アンカー７と、橋脚連結用垂直アンカー８とを設け、鋼桁２の端部内に鉄筋コンクリート９を打設することによって、橋脚１と、橋脚１上に支持された鋼桁２の対向する端部とを一体化することができるので、橋脚１と鋼桁２の対向する端部とが剛結合される。この結果、鋼桁２を強固に補強することができる。
【００２２】
なお、図４に示すように、橋脚１と鋼桁２の端部との間に頬杖１０を設ければ、鋼桁２をさらに強固に補強することができる。
【００２３】
以上、説明したように、この発明によれば、鋼桁端部補強用水平アンカーと、鋼桁連結用水平アンカーと、橋脚連結用垂直アンカーとを設け、鋼桁の端部内に鉄筋コンクリートを打設することによって、橋脚と、橋脚上に支持された鋼桁の対向する端部とが一体化され、この結果、橋脚と鋼桁の端部とが剛結合されるので、鋼桁を強固に補強することができる。
【符号の説明】
【００２４】
１：橋脚
２：鋼桁
３：支承
４：桁部材
５：鋼桁端部補強用水平アンカー
６：ウェブ
７：鋼桁連結用水平アンカー
８：橋脚連結用垂直アンカー
９：鉄筋コンクリート
１０：頬杖
１１：橋脚
１２：鋼桁
１３：支承
１４：鉄筋コンクリート
【図１】
2015113630.tif 000003
【図２】
2015113630.tif 000004
【図３】
2015113630.tif 000005
【図４】
2015113630.tif 000006